(57)【要約】【課題】人が集まるローカルなエリアなどで、これらの人の意思に係る情報を送信し、エリア情報についてのマーケティング情報を収集することができる無線タグおよびマーケティング情報収集システムを提供する。【解決手段】無線タグ１０は、エリア情報（広告等）に対する個人の意思を入力する意思入力部１４と、意思入力部によって入力した意思に係る信号に、個人のプロファイルを認識することが可能なＩＤに係る信号を付加して送る送信部２１と、外部の送受信機４２からの受信完了の知らせに係る信号を受信し、受信完了を通知する受信完了信号受信部２２およびランプ１５とを備えるように構成される。この無線タグ１０は各個人に装備され、マーケティング情報システム４０に利用される。【選択図】図５
2007286965.tif 000002
【特許請求の範囲】
【請求項１】
エリア情報に対する個人の意思を入力する意思入力手段と、
前記意思入力手段によって入力した意思に係る信号に、前記個人のプロファイルを認識することが可能なＩＤに係る信号を付加して送る送信手段と、
外部の送受信機からの受信完了の知らせに係る信号を受信し、受信完了を通知する手段と、
を備えることを特徴とする無線タグ。
【請求項２】
前記外部の送受信機は前記エリア情報に関連して設置されていることを特徴とする請求項１記載の無線タグ。
【請求項３】
エリア情報に関連して設置された送受信機と、
前記エリア情報に対する個人の意思を入力する意思入力手段と、前記意思入力手段によって入力した意思に係る信号に、前記個人のプロファイルを認識することが可能なＩＤに係る信号を付加して送る送信手段と、前記送受信機からの受信完了の知らせに係る信号を受信し、受信完了を通知する手段とを備え、前記個人に装備される無線タグと、
前記無線タグからの送られた意思に係る前記信号とＩＤに係る前記信号の情報を、前記送受信機を経由して管理・集計する集計手段を備えるマーケティング情報収集システムであって、
前記送受信機は、前記エリア情報を有すると共に、前記無線タグから送られた意思に係る前記信号とＩＤに係る前記信号を受信する受信手段と、前記受信手段によって受信された意思に係る前記信号とＩＤに係る前記信号に前記エリア情報を付加して送る情報送信手段と、意思に係る前記信号とＩＤに係る前記信号の受信完了の知らせに係る信号を送信する受信完了信号送信手段とを備え、
前記集計手段は、前記送受信手段によって受信された意思に係る前記信号とＩＤに係る前記信号と前記エリア情報に基づいて、前記エリア情報に対するマーケティング情報の集計を行う、
ことを特徴とするマーケティング情報収集システム。
【請求項４】
前記無線タグによる意思に係る前記信号の発信の見返りとしてポイントを還元する手段を備えたことを特徴とする請求項３記載のマーケティング情報収集システム。
【請求項５】
エリア情報に関連して設置された送受信機と、
個人のプロファイルを認識することが可能なＩＤに係る信号を送る送信手段と、前記送受信機からの受信完了の知らせに係る信号を受信し、受信完了を通知する手段とを備え、前記個人に装備される無線タグと、
前記無線タグからの送られたＩＤに係る前記信号の情報を、前記送受信機を経由して管理・集計する集計手段を備えるマーケティング情報収集システムであって、
前記送受信機は、前記エリア情報を有すると共に、前記無線タグから送られたＩＤに係る前記信号を受信する受信手段と、前記受信手段によって受信されたＩＤに係る前記信号に前記エリア情報を付加して送る情報送信手段と、ＩＤに係る前記信号の受信完了の知らせに係る信号を送信する受信完了信号送信手段とを備え、
前記集計手段は、前記送受信手段によって受信されたＩＤに係る前記信号と前記エリア情報に基づいて、前記エリア情報に対するマーケティング情報の集計を行う、
ことを特徴とするマーケティング情報収集システム。
【請求項６】
前記送受信機で受信した信号は、少なくとも１つの他の送受信手段に転送され、前記他の前記送受信機を介して前記集計手段に送られることを特徴とする請求項３〜５のいずれか１項に記載のマーケティング情報収集システム。
【請求項７】
前記無線タグは、他の無線タグとの間で信号を送受信する手段を備えることを特徴とする請求項３〜６のいずれか１項に記載のマーケティング情報収集システム。
【請求項８】
前記無線タグは、映像を撮影し、撮影した映像を送信する手段を備えることを特徴とする請求項３〜７のいずれか１項に記載のマーケティング情報収集システム。
【請求項９】
前記集計手段は、前記ＩＤを予めグループ分けし、前記グループ分けしたグループ毎に情報を集計することを特徴とする請求項３〜８のいずれか１項に記載のマーケティング情報収集システム。
【発明の詳細な説明】
【技術分野】
【０００１】
本発明は、無線タグおよびマーケティング情報収集システムに関し、特に、広告等のエリア情報に対する個人の意思に係る信号とＩＤに係る信号を送信する無線タグと、送信した意思に係る信号とＩＤに係る信号に基づいてマーケティング情報を集計するマーケティング情報収集システムに関する。
【背景技術】
【０００２】
近年、商品の販売時に商品の購入者に関する顧客情報を店舗に設けられた端末により収集し、マーケティングに利用するシステムが提案されている（例えば、特許文献１参照）。商品を製造するメーカにとって、その商品を購入した顧客に関する情報を収集することは、商品の販売促進や新製品開発のために欠かせないものである。
【０００３】
また、街中での店舗や街頭看板や移動看板やイベント会場において、人々がどのようなものに関心があるかという情報もマーケティング情報として重要なものである。
【特許文献１】特開２００１−３１２４７３号公報
【発明の開示】
【発明が解決しようとする課題】
【０００４】
特許文献１では、商品を販売するときに、その商品を販売する店舗に設置された端末から顧客情報を入力するものであった。しかしながら、特許文献１でのマーケティング情報収集システムでは、店舗に設置された端末を用いなければならず、また、商品を販売したときの情報であった。それゆえ、街中での人々の関心がどのようなものであるかについての情報は、集計することはできなかった。さらに、人が集まりやすい比較的に狭い局所的な地域（特定なローカルエリア）などでの集計情報を迅速に集計するという仕組みも今まで存在しなかった。
【０００５】
本発明の目的は、上記の課題に鑑み、人が集まるローカルなエリアなどで、広告等のエリア情報に対するこれらの人の意思に係る情報を送信し、エリア情報についてのマーケティング情報を収集・集計することができる無線タグおよびマーケティング情報収集システムを提供することにある。
【課題を解決するための手段】
【０００６】
本発明に係る無線タグおよびマーケティング情報収集システムは、上記目的を達成するために、次のように構成される。
【０００７】
第１の無線タグ（請求項１に対応）は、エリア情報に対する個人の意思を入力する意思入力手段と、意思入力手段によって入力した意思に係る信号に、個人のプロファイルを認識することが可能なＩＤに係る信号を付加して送る送信手段と、外部の送受信機からの受信完了の知らせに係る信号を受信し、受信完了を通知する手段とを備えるように構成される。
【０００８】
上記の無線タグでは、個人が特定のローカルエリアに居るとき、ローカルエリア内に存在する広告等のエリア情報に対して意思入力手段によって個人の意思を入力する。入力された意思情報は、個人のプロファイルを認識することが可能なＩＤに係る信号を付加して送信手段によって、ローカルエリア内の外部の送受信機に送る。その信号が外部の送受信機によって受信されたならば、そのとき、外部の送受信機から受信完了信号が送られてくる。受信完了信号を受信し、受信完了を通知する手段によって、確実に意思情報とＩＤ情報を送ることができたことを確認することができる。この外部の送受信機で受信された意思信号とＩＤ信号の各情報に基づいてマーケティング情報を得ることができる。なお上記において、「無線タグ」は、上記個人に装備装備される小型・軽量の近距離用の簡易無線装置を意味する。無線タグとしては、例えば、リストバンドに組み込まれた簡易無線装置を想定している。
【０００９】
第２の無線タグ（請求項２に対応）は、上記の第１の構成において、好ましくは、外部の送受信機はエリア情報に関連して設置されていることを特徴とする。
【００１０】
第１のマーケティング情報収集システム（請求項３に対応）は、エリア情報に関連して設置された送受信機と、この送受信機との間で信号の送受を行う上述した構成を有しかつ個人に装備される無線タグと、送受信機を経由して無線タグから送られた意思に係る信号とＩＤに係る信号の情報を管理・集計する集計手段を備えるマーケティング情報収集システムである。上記の送受信機は、エリア情報を有すると共に、無線タグから送られた意思に係る信号とＩＤに係る信号を受信する受信手段と、受信手段によって受信された意思に係る信号とＩＤに係る信号にエリア情報を付加して送る情報送信手段と、意思に係る信号とＩＤに係る信号の受信完了の知らせに係る信号を送信する受信完了信号送信手段とを備える。また集計手段は、送受信手段によって受信された意思に係る信号とＩＤに係る信号とエリア情報に基づいて、エリア情報に対するマーケティング情報の集計を行う。
【００１１】
第２のマーケティング情報収集システム（請求項４に対応）は、上記の構成において、好ましくは、無線タグによる意思に係る情報の発信の見返りとしてポイントを還元する手段を備えたことで特徴づけられる。
【００１２】
第３のマーケティング情報収集システム（請求項５に対応）は、エリア情報に関連して設置された送受信機と、個人のプロファイルを認識することが可能なＩＤに係る信号を送る送信手段と、送受信機からの受信完了の知らせに係る信号を受信し、受信完了を通知する手段とを備え、個人に装備される無線タグと、無線タグからの送られたＩＤに係る信号の情報を、送受信機を経由して管理・集計する集計手段を備えるマーケティング情報収集システムである。上記の送受信機は、エリア情報を有すると共に、無線タグから送られたＩＤに係る信号を受信する受信手段と、受信手段によって受信されたＩＤに係る信号にエリア情報を付加して送る情報送信手段と、ＩＤに係る信号の受信完了の知らせに係る信号を送信する受信完了信号送信手段とを備える。また集計手段は、送受信手段によって受信されたＩＤに係る信号とエリア情報に基づいて、エリア情報に対するマーケティング情報の集計を行う。
【００１３】
第４のマーケティング情報収集システム（請求項６に対応）は、上記の構成において、好ましくは、送受信機で受信した信号は、少なくとも１つの他の送受信手段に転送され、他の送受信機を介して集計手段に送られることで特徴づけられる。
【００１４】
第５のマーケティング情報収集システム（請求項７に対応）は、上記の構成において、好ましくは、無線タグは、他の無線タグとの間で信号を送受信する手段を備えることで特徴づけられる。
【００１５】
第６のマーケティング情報収集システム（請求項８に対応）は、上記の構成において、好ましくは、無線タグは、映像を撮影し、撮影した映像を送信する手段を備えることで特徴づけられる。
【００１６】
第７のマーケティング情報収集システム（請求項９に対応）は、上記の構成において、好ましくは、集計手段は、ＩＤを予めグループ分けし、グループ分けしたグループ毎に情報を集計することで特徴づけられる。
【発明の効果】
【００１７】
第１の本発明に係る無線タグによれば、各個人が無線をタグを身に付け、任意なローカルエリアにおける特定なエリア情報に対して反応し、無線タグに設けた意思入力手段によって個人の意思を入力し、当該情報は、個人のプロファイルを認識することが可能なＩＤに係る信号と共に、外部の送受信機に送られる。このため、外部の送受信機で受信された意思情報とＩＤ情報に基づいて、上記の特定なエリア情報に関してのマーケティング情報を得ることができ、当該無線タグはローカルエリアにおける広告等の特定のエリア情報のマーケットリサーチに利用することができる。
【００１８】
第２の本発明に係るマーケティング情報収集システムによれば、意思入力手段を備えた無線タグにより、意思表示と無線タグのＩＤの各情報をエリア情報に関連づけられた外部の送受信機に送り、それらの情報を集計システムで収集し、集計するようにしたので、商店での端末を用いることなく、街中で設定されたローカルエリアごとにエリア情報に対して自由に個人個人が意思情報を送ることができるので、より幅の広い、実際のマーケットに即したマーケティング情報を得ることができる。
【００１９】
さらに本発明によれば、複数の送受信機を介して意思情報を集計システムに送ったり、複数の無線タグを介して意思情報を送受信機に送るようにしたので、ローカルなエリアからより広いエリアに渡ってのマーケティング情報を収集し、集計することができる。
【発明を実施するための最良の形態】
【００２０】
以下に、本発明の好適な実施形態（実施例）を添付図面に基づいて説明する。
【００２１】
図１と図２は本発明に係る無線タグを示す。図１は、無線タグを腕に装着した状態を示し、図２は、無線タグを腕から外した状態を示す。無線タグ１０は、コネクタ１１と、腕１２に装着するためのリストバンド１３からなっている。リストバンド１３には、意思表示のために用いられる意思入力部（スイッチ）１４と、外部の送受信機（図１および図２中に図示せず）が意思表示の信号（意思に係る信号）を受信した時に送る受信完了に係る信号を受信したときに受信完了を知らせるためのサウンドロゴを発するスピーカ１５と、上記送受信機の受信範囲であることを知らせるランプ１６が設けられている。また無線タグ１０は、内蔵メモリに、この無線タグを装備する個人（利用者）を識別するためのＩＤ情報を記憶している。
【００２２】
無線タグ１０が外部の送受信機と無線接続可能な距離にあるとき、送受信機からの接続可能信号を受信し、ランプ１６が点灯する。その状態で、利用者は、自身が存在するローカルエリア内の広告等のエリア情報に応答してアンケート等に対する意思表示をスイッチ１４から入力し、無線１７で外部の送受信機に送信する。外部の送受信機からは、受信が完了したならば、受信完了に係る信号が送られ、その信号により、無線タグ１０のスピーカ１５からサウンドロゴが発せられる。利用者は、そのサウンドロゴを聞くことにより、受信完了を知ることができる。それにより、利用者は、広告等によるアンケートに対する意思表示と個人を識別するＩＤの各信号を外部の送受信機に送ることができる。後述のマーケティング情報収集システムでは、その送受信機で受信された信号に基づき情報を収集することで、上記広告等のマーケティング情報を得ることができる。
【００２３】
無線タグ１０の形状・構造は、上記のリストバンド１３に限定されず、個人の身に着けることのできる形状・構造であれば、任意のものに作ることができる。身に着ける形状の例として、非接触ＩＣカード内蔵携帯電話、ワイヤレスヘッドセット等がある。
【００２４】
図３は、無線タグ１０に設けられる内部機能を示す機能ブロック図と制御系の図を示している。無線タグ１０は、基本要素として、意思入力部（スイッチ）１４およびこれに対応する送信部２１と、スピーカ１５およびこれに対応すると受信完了信号受信部２２と、ランプ１６およびこれに対応する接続可能信号受信部２３とを備えている。さらに無線タグ１０は、ＩＤ記憶部２４、各機能部の動作を制御する制御部２５、無線タグ間で信号の送受信を行うための送受信部２６を備えている。
【００２５】
スイッチ１４は、広告などのアンケートに対する「イエス」、「ノー」などの個人の意思を入力する。例えば、イエスならばスイッチ１４を２回続けて押し、ノーならばスイッチ１４を１回押すなどで入力する。ＩＤ記憶部２４は、個人のプロファイルを認識することが可能な個別ＩＤを記憶している。送信部２１は入力された意思に係る信号とＩＤに係る信号を送信する。受信完了信号受信部２２は、外部の送受信機４２から送られる受信完了に係る信号を受信し、その信号をスピーカ１５に送る。スピーカ１５は、受信完了信号によりサウンドロゴを発する。接続可能信号受信部２３は、外部の送受信機４２が送っている接続可能信号の受信可能範囲になるとその信号を受信し、ランプ１６を点灯させる。
【００２６】
図４は、無線タグ１０のハードウェア的構成の観点で示した図である。無線タグ１０は、スピーカ１５、スイッチ１４、ランプ１６、通信部３０、アンテナ３１、制御部２５、メモリ３３を備えている。無線タグ１０は、この構成に基づいて、図３で説明した各機能部を実現する。通信部３０は、意思に係る信号とＩＤに係る信号の送信、および接続可能信号の受信、外部の送受信機４２の受信完了信号の受信を行う。制御部２５は、通信部３０が受信した信号を解釈し、ランプ１６の点灯、スピーカ１５の駆動を行い、また意思に係る信号のデータを通信プロトコルに準拠し変換して通信部３０に送る。またメモリ３３に保持している個別ＩＤに係る信号を通信部３０を介して送受信機４２に送信する。通信部３０にはアンテナ３１が装備されている。当該通信部３０はブルートゥース通信などの狭域無線通信を行える機能を有している。ここで「狭域無線通信」とは、例えば半径１０ｍ程度の範囲における通信を想定している。また、他の通信技術である無線ＬＡＮ、ＺｉｇＢｅｅ、ＵＷＢ、非接触ＩＣカードを用いることも可能である。
【００２７】
この無線タグ１０では、図１で示した無線タグ１０と外部の送受信機４２とが無線接続可能な距離になり、接続可能信号を受信すると、ランプ１６が点灯する。その状態で、個人が操作して無線タグ１０から意思に係る信号をスイッチ１４で発生させると、通信部３０からＩＤに係る信号を付加して送信する。そして、外部の送受信機４２から受信完了の信号を通信部３０は受信し、スピーカ１５からサウンドロゴが発せられる。
【００２８】
次に、図５に、本発明の実施形態に係るマーケティング情報収集システムの全体的構成を示す。このマーケティング情報収集システム４０は、無線タグ１０と、エリア情報を有する対象物、ここでは例として広告（エリア情報）を表示した広告看板４１に関連してその近くに設置された送受信機４２と、通信網４３を介して接続された集計システム４４と、企業内コンピュータ４５と、個人宅４６のコンピュータ４７で構成されている。このマーケティング情報収集システム４０は、人が集まりやすい例えば特定なローカルエリア４８での広告看板４１の広告に関するマーケティング情報収集システムである。ローカルエリア４８の範囲は、無線タグ１０と送受信機４２の間においての無線接続が可能になる範囲として決められる。
【００２９】
エリア情報を有する対象としては、街頭看板や移動看板（車）等の広告看板以外に、店舗、イベント会場、オリエンテーション等が考えられる。
【００３０】
無線タグ１０は、図１〜図４で示したものと同様のものである。図５ではスイッチ１４のみを便宜的に示している。
【００３１】
無線タグ１０は、意思に係る信号とＩＤに係る信号を送る送信部３０を備えている。送受信機４２は、ローカルエリア４８の範囲内にある無線タグ１０の送信部２１によって無線１７で送られた広告看板４１の広告のアンケート等に対する意思に係る信号とＩＤに係る信号を受信する。集計システム４４は、送受信機４２によって受信された意思に係る信号とＩＤに係る信号に基づいて、ローカルエリア４８の範囲内で広告看板４１の広告に関するマーケティング情報の集計を行う。上記の特定の範囲４８は、広告看板４１による広告が表示されている、多くの人が集まる任意のローカル（相対的に狭域）なエリアである。企業内コンピュータ４５は、集計システム４４からの情報を通信網４３を介して受けることができる。また個人宅４６には、コンピュータ４７に無線タグ１０をＵＳＢにより接続することにより、集計システム４４のデータに基づいてポイントを還元することができる。無線タグ１０の前述したコネクタ１１はＵＳＢコネクタとなっている。例えば、無線タグ１０を操作した人は、無線タグ１０をコンピュータ４７に接続し、所定のインターネットサイトをアクセスすると、クーポン券などの懸賞を入手できるようにすることができる。
【００３２】
図６は、送受信機４２の内部機能を示す機能ブロック図と制御系とを示す。送受信機４２は、受信部５０と送信部５１と接続可能信号送信部５２と制御部５３とエリア情報記憶部５４と受信完了信号送信部５５を備えている。受信部５０は、無線タグ１０から無線１７で送られる意思に係る信号と個別ＩＤに係る信号を受信する。送信部５１は、受信部５０で受信した意思に係る信号と個別ＩＤに係る信号とエリア情報記憶部５４に記憶されているエリア情報（広告看板４１に示された広告に関する情報）を集計システム４４の送信する。接続可能信号送信部５２は、無線タグ１０と送受信機４２が無線接続可能な距離になったことを知らせるための接続可能信号を送信する。また受信完了信号送信部５５は、無線タグ１０から送られた意思に係る信号とＩＤに係る信号を受信したとき、無線タグ１０を装備した個人（利用者）に対して受信が完了したことを知らせる受信完了信号を送信する。
【００３３】
上記のマーケティング情報収集システム４０は、例えば、人が集まる場所（ローカルエリア４８）内に、広告看板４１上またはその近くに送受信機４２を設置する。そして、集計システム４４は、ローカルエリア４８の範囲内で意思に係る信号に関する情報を集計する。その集計データによって、広告看板４１により広告を出している企業が、広告看板４１を見ている人のプロファイルを把握することができ、企業は、その集計データをマーケット情報、販売促進ツールとして使用することができる。
【００３４】
図７は、本実施形態に係るマーケティング情報収集システム４０の動作手順の一例を示す図である。無線タグ１０と送受信機４２は、無線接続可能な距離にあるときに、接続可能信号を送り（ステップＳ１１）、無線タグのランプ１６を点灯する。無線タグ１０を装備した利用者は、スイッチ１４により広告看板４１の広告に対する意思を入力する。意思に係る信号とメモリ３３に保持している個別ＩＤに係る信号は送受信機４２に送信される（ステップＳ１２）。送受信機４２で受信が完了すると受信完了信号を送る（ステップＳ１３）。無線タグ１０は、スピーカ１５からサウンドロゴを発する。また送受信機４２は、受信した意思に係る信号および個別ＩＤに係る信号と、送受信機４２自身が保持しているエリア情報を集計システム４４に送信する（ステップＳ１４）。集計システム４４は、送受信機４２から集まった情報を管理、集計する。このように、ローカルエリア４８の範囲内で意思情報を収集し、集計することができる。また、意思情報とＩＤ情報とエリア情報とに基づいて広告看板４１で提供された広告に関するマーケティング情報を得ることができる。
【００３５】
さらに、あらかじめ、集計システム４４において、ＩＤをグループ分けしておくことにより、集計結果をグループ毎に行うことができ、グループ毎のマーケティング情報を得ることができる。
【００３６】
次に図８を参照して、本発明に係るマーケティング情報収集システムの他の実施形態について説明する。図８はマーケティング情報収集システムの全体的構成を示し、図５に類似する図である。このマーケティング情報収集システム６０は、無線タグ１０と送受信機４２，６１，６２，６３と集計システム４４とを備えている。このマーケティング情報収集システムでは、範囲６４において、図５および図６で説明したものと同様の構造・機能を有する複数の送受信機を備えている。図８において、上記の実施形態で説明した要素と実質的に同一の要素には同一の符号を付している。
【００３７】
上記の範囲６４に配置された複数の送受信機４２，６１，６２，６３のそれぞれには狭域無線通信用の通信部を内蔵しており、隣接する送受信機同士の間において相互に無線で通信を行い、１つの送受信機で受信した意思に係る信号等を送受するように構成されている。従って、例えばいずれか１つの送受信機で受信された意思に係る信号等は、当該送受信機から隣接する送受信機で次々にリレー式に送受信され、最終的に集計システム４４に供給される。
【００３８】
上記の狭域無線通信機能を有する通信部に基づく無線通信によって送受信機４２，６１，６２，６３の間においてリレー的に通信を行い、無線タグ１０からの信号を集計システム４４まで伝送して、この集計システム４４で範囲６４での集計ができるように構成することが可能となる。
【００３９】
図９は、マーケティング情報収集システム６０の動作手順の一例を示す図である。無線タグ１０と送受信機４２は、無線接続可能な距離にあるときに、接続可能信号を送り（ステップＳ２１）、ランプ１６を点灯する。利用者は、スイッチ１４により意思に係る信号を入力する。意思に係る信号とメモリに保持している個別ＩＤに係る信号を送受信機４２に送信する（ステップＳ２２）。受信が完了すると受信完了信号を送る（ステップＳ２３）。無線タグ１０は、スピーカ１５によりサウンドロゴを発する。また、送受信機４２は受信した意思に係る信号および個別ＩＤに係る信号と、送受信機自身が保持しているエリア情報とを、最終的に集計システム４４に送信する。集計システム４４は送受信機４２から集まった情報を管理、集計する。
【００４０】
上記の場合において、本実施形態では、通信部に基づく例えば無線６５，６６による通信によって送受信機４２，６１，６２の間においてリレー的に通信を行い、無線タグ１０からの信号を集計システム４４まで伝送する（ステップＳ２４，Ｓ２５，Ｓ２６）。集計システム４４は各送受信機から集まった情報を管理、集計する。このように、意思情報等を収集し、集計することができる。またその意思情報とＩＤ情報とエリア情報に基づいてマーケティング情報を得ることができる。
【００４１】
次に図１０を参照して、本発明に係るマーケティング情報収集システムの更なる他の実施形態について説明する。図１０はマーケティング情報収集システム７０の全体的構成を示し、図５に類似する図である。このマーケティング情報収集システム７０は、２つの無線タグ１０，７１と、送受信機４２と、集計システム４４とを備えている。このマーケティング情報収集システム７０では、図５および図６で示したものと同様の構造・機能を有する複数の無線タグを備えている。図１０において、前述の実施形態で説明した要素と実質的に同一の要素には同一の符号を付している。
【００４２】
図１０に示された範囲８１は、前述のローカルエリア３８と同じ範囲である。この範囲８１の外に配置された無線タグ１０と、範囲８１内に配置された無線タグ７１のそれぞれには狭域無線通信用の送受信部２６を内蔵している。隣接する無線タグ１０，７１は、両者の間で相互に無線で通信を行い、１つの無線タグで受信した意思に係る信号等を送受するように構成されている。従って、例えばいずれか１つの無線タグで受信された意思に係る信号は、当該無線タグから隣接する無線タグで次々にリレー式に送受信され、最終的に集計システム４４に供給されることになる。
【００４３】
上記の狭域無線通信機能を有する通信部に基づく無線通信によって無線タグ１０，７１の間においてリレー的に通信を行い、無線タグ１０が範囲８１の外にあったとしても、無線タグ１０からの意思に係る信号等を集計システム４４まで伝送して、この集計システム４４で範囲での集計ができるように構成することが可能となる。
【００４４】
図１１は、マーケティング情報収集システム７０の動作手順の一例を示す図である。無線タグ７１と送受信機４２は、無線接続可能な距離にあるときに、接続可能信号を送り（ステップＳ３１）、無線タグ７１のランプを点灯する。その信号は、無線タグ１０にも送られ（ステップＳ３２）、ランプが点灯する。無線タグ１０の利用者は、スイッチ１４により意思を入力する。意思に係る信号とメモリに保持している個別ＩＤに係る信号は、無線タグ７１を介して、送受信機４２に送信される（ステップＳ３３，Ｓ３４）。受信が完了すると受信完了信号が送られる（ステップＳ３５）。その受信完了信号は、無線タグ７１を介して無線タグ１０に送られ（ステップＳ３６）、無線タグ１０は、サウンドロゴを発する。また送受信機４２は受信した意思と個別ＩＤの信号と、送受信機自身が保持しているエリア情報を集計システム４４に送信する（ステップＳ３７）。集計システム４４は送受信機４２から集まった情報を管理、集計する。このとき、通信部に基づく無線８２，８３による通信によって無線タグ１０，７１の間においてリレー的に通信を行い、無線タグ１０からの信号を集計システム４４まで伝送する。集計システム４４は各無線タグから集まった情報を管理、集計する。このように、無線タグからの意思情報等を収集し、集計することができる。また、意思情報とＩＤ情報とエリア情報とに基づいてマーケティング情報を得ることができる。
【００４５】
なお、上記の各実施形態では、意思情報を用いて説明したが、それに限定されず、映像情報を含む情報を用いることもできる。そのときには、カメラ機能を持つ無線タグや、無線タグを備えたカメラを用いることにより実現できる。
【００４６】
以上の実施形態で説明された構成、形状、大きさおよび配置関係については本発明が理解・実施できる程度に概略的に示したものにすぎない。従って本発明は、説明された実施形態に限定されるものではなく、特許請求の範囲に示される技術的思想の範囲を逸脱しない限り様々な形態に変更することができる。
【産業上の利用可能性】
【００４７】
本発明は、街中での広告などに対する意思表示に係る情報などのマーケティング情報を収集するシステムとして利用される。
【図面の簡単な説明】
【００４８】
【図１】本発明の実施形態に係る無線タグを示す外観図である。
【図２】本実施形態に係る無線タグを外した状態を示す外観図である。
【図３】本実施形態に係る無線タグの機能ブロック図である。
【図４】本実施形態に係る無線タグのハードウェアの観点での内部構成を示す図である。
【図５】本発明の実施形態に係るマーケティング情報収集システムの全体的構成を示す図である。
【図６】本実施形態に係るマーケティング情報収集システムの送受信機の機能ブロック図である。
【図７】本実施形態に係るマーケティング情報収集システムの動作手順の一例を示す図である。
【図８】本発明に係るマーケティング情報収集システムの他の実施形態の全体的構成を示す図である。
【図９】他の実施形態に係るマーケティング情報収集システムの動作手順の一例を示す図である。
【図１０】本発明に係るマーケティング情報収集システムの更なる他の実施形態の全体的構成を示す図である。
【図１１】更なる他の実施形態に係るマーケティング情報収集システムの動作手順の一例を示す図である。
【符号の説明】
【００４９】
１０      無線タグ
１１      コネクタ
１３      リストバンド
１４      意思入力部（スイッチ）
１５      スピーカ
１６      ランプ
２１      送信部
２２      受信完了信号受信部
２３      接続可能信号受信部
２４      ＩＤ記憶部
２５      制御部
２６      送受信部
３０      通信部
３１      アンテナ
４０      マーケティング情報収集システム
４１      広告看板
４２      送受信機
４３      通信網
４４      集計システム
４５      企業内コンピュータ
４７      コンピュータ
【図１】
2007286965.tif 000003
【図２】
2007286965.tif 000004
【図３】
2007286965.tif 000005
【図４】
2007286965.tif 000006
【図５】
2007286965.tif 000007
【図６】
2007286965.tif 000008
【図７】
2007286965.tif 000009
【図８】
2007286965.tif 000010
【図９】
2007286965.tif 000011
【図１０】
2007286965.tif 000012
【図１１】
2007286965.tif 000013